(57)【要約】【課題】高周波電流を流して各種手術を行う際に、切開、剥離、凝固等のいずれの施術も適切に行うことができるようにする。【解決手段】生体手術用に設定された高周波電流を供給する高周波電流供給装置の出力端子に接続され、生体組織に高周波電流を流して施術を行うように構成された手術用具１０である。手術用具１０は、出力端子に接続される本体部１１と、本体部１１に設けられ、生体組織の施術部位に高周波電流を流すための電極部１３とを備えている。電極部１３は、扁平形状とされている。電極部１３の周縁部を利用して生体組織の切開又は剥離を行うことができる。電極部１３の側面部を利用して生体組織の凝固を行うことができる。【選択図】図４
0003148843.tif 000002
【実用新案登録請求の範囲】
【請求項１】
生体手術用に設定された高周波電流を供給するための高周波電流供給装置の出力端子に接続され、生体組織に高周波電流を流して施術を行うように構成された手術用具であって、
上記出力端子に接続される本体部と、
上記本体部に設けられ、生体組織の施術部位に高周波電流を流すための電極部とを備え、
上記電極部は、扁平形状とされていることを特徴とする手術用具。
【請求項２】
請求項１に記載の手術用具において、
本体部には、電極部を冷却するための液体ないし電極部を洗浄するための液体が流通する液体流路が形成され、
上記液体流路の下流端は、上記電極部近傍で開口していることを特徴とする手術用具。
【請求項３】
請求項２に記載の手術用具において、
液体流路の下流端は、本体部の複数箇所に開口していることを特徴とする手術用具。
【請求項４】
請求項１から３のいずれか１つに記載の手術用具において、
本体部は棒状に形成され、
電極部は上記本体部の先端に設けられ、
上記本体部の電極部側は湾曲形成されていることを特徴とする手術用具。
【請求項５】
請求項１から４のいずれか１つに記載の手術用具において、
電極部は多角形の板状をなしていることを特徴とする手術用具。
【請求項６】
生体手術用に設定された高周波電流を供給する高周波電流供給装置の出力端子に接続され、生体組織に高周波電流を流すように構成された電極部を有する手術用具と、
上記電極部を冷却する液体ないし上記電極部を洗浄する液体を供給する液体供給装置とを備えた手術システムであって、
上記電極部は、扁平形状とされていることを特徴とする手術システム。
【請求項７】
請求項６に記載の手術システムにおいて、
手術用具は、電極部が設けられた本体部を備え、
上記本体部には、上記電極部を冷却する液体ないし電極部を洗浄する液体が流通する液体流路が形成され、
上記液体流路の上流端に液体供給装置が接続され、
上記液体流路の下流端は、上記電極部近傍で開口していることを特徴とする手術システム。
【請求項８】
請求項７に記載の手術システムにおいて、
液体供給装置は、液体を、１分間あたり０．５ｍｌ以上２．０ｍｌ以下の範囲で供給するように構成されていることを特徴とする手術システム。
【請求項９】
請求項６から８のいずれか１つに記載の手術システムにおいて、
液体供給装置は、液体を供給する供給状態と、供給を停止する停止状態とに切り替える切替部を備えていることを特徴とする手術システム。
【請求項１０】
請求項９に記載の手術システムにおいて、
切替部は、術者による足踏み操作が可能な足踏み操作部を備え、該足踏み操作部の足踏み操作によって供給状態と、停止状態とに切り替えることを特徴とする手術システム。
【考案の詳細な説明】
【技術分野】
【０００１】
本考案は、例えば人間の生体組織に、手術用に設定された高周波電流を流して生体組織の切開、剥離、凝固等の施術を行う際に用いられる手術用具及び手術システムに関する。
【背景技術】
【０００２】
従来より、外科的手術時には、生体手術用に設定された高周波電流を生体組織に流して生体組織の切開、剥離、凝固等を行うように構成された電気メス装置が用いられている。切開、剥離及び凝固の全てが可能な電気メス装置としては、例えば特開平５−１６１６６１号公報に開示されているように、高周波電流供給装置と、対電極と、生体組織の施術部位に接触させる電極部を有するメスとを備えた、いわゆるモノポーラ型のものがある。このようなモノポーラ型の電気メスを用いることで、生体組織からの出血を抑えながら生体組織を切開したり、特定の生体組織を他の生体組織から剥離させることができ、さらに、生体組織を凝固させて出血を抑えることもできるので、現在では、その適用範囲が拡大している。
【考案の開示】
【考案が解決しようとする課題】
【０００３】
しかしながら、電気メス装置を使用する際、生体組織を切開するときや剥離するときには、電流を生体組織に局部的に流す必要があるので、電極部の生体組織への接触面積は狭い方がよく、一方、凝固時には、切開等に比べて広い範囲に電流を流す必要があるので、電極部の生体組織への接触面積は広い方がよい。
【０００４】
本考案は、かかる点に鑑みてなされたものであり、その目的とするところは、高周波電流を流して各種手術を行う際に、切開、剥離、凝固等のいずれの施術も適切に行うことができるようにすることにある。
【課題を解決するための手段】
【０００５】
上記の課題を解決するために第１の考案では、生体手術用に設定された高周波電流を供給するための高周波電流供給装置の出力端子に接続され、生体組織に高周波電流を流して施術を行うように構成された手術用具であって、上記出力端子に接続される本体部と、上記本体部に設けられ、生体組織の施術部位に高周波電流を流すための電極部とを備え、上記電極部は、扁平形状とされている構成とする。
【０００６】
上記扁平形状の電極部によれば、電極部の周縁部はシャープな形状となり、生体組織への接触面積が狭くなる一方、電極部の側面部は、周縁部に比べて生体組織への接触面積が広くなる。従って、電極部の周縁部を生体組織に接触させることで、切開や剥離を行い易くなり、また、電極部の側面部を生体組織に接触させることで、凝固を行い易くなる。
【０００７】
第２の考案では、第１の考案において、本体部には、電極部を冷却するための液体ないし電極部を洗浄するための液体が流通する液体流路が形成され、上記液体流路の下流端は、上記電極部近傍で開口している構成とする。
【０００８】
したがって、電極部の近傍には電極部を冷却する液体ないし電極部を洗浄する液体が供給されるので、電極部の温度が上昇しすぎるのを抑制することや、電極部に付着した血液等を流すことが可能になる。さらに、液体を供給しながら高周波電流を流すようにすれば、生体組織が電極部に密着したまま離れなくなってしまうのを抑制することが可能になる。
【０００９】
第３の考案では、第２の考案において、液体流路の下流端は、本体部の複数箇所に開口している構成とする。
【００１０】
この構成によれば、冷却ないし洗浄用の液体が電極部の広範囲に供給されることになる。
【００１１】
第４の考案では、第１から３のいずれか１つの発明であって、本体部は棒状に形成され、電極部は上記本体部の先端に設けられ、上記本体部の電極部側は湾曲形成されている構成とする。
【００１２】
例えば体腔の深い部位を手術する場合があり、この場合に、本体部の電極部側が湾曲していることにより、手前にある生体組織を回避しながら、電極部を体腔の奥の方の所望位置まで持っていくことが可能になる。
【００１３】
第５の考案では、第１から４のいずれか１つの考案であって、電極部は多角形の板状をなしている構成とする。
【００１４】
したがって、電極部の周縁部には複数の辺部が形成されることになる。これにより、１つの片部に血液等が焼き付いた場合に、他の片部を利用して施術を続けることが可能になる。
【００１５】
第６の考案では、生体手術用に設定された高周波電流を供給する高周波電流供給装置の出力端子に接続され、生体組織に高周波電流を流すように構成された電極部を有する手術用具と、上記電極部を冷却する液体ないし上記電極部を洗浄する液体を供給する液体供給装置とを備えた手術システムであって、上記電極部は、扁平形状とされている構成とする。
【００１６】
この構成によれば、第１の考案と同様に、切開、剥離、凝固の各々を行い易くなる。
【００１７】
第７の考案では、第６の考案において、手術用具は、電極部が設けられた本体部を備え、上記本体部には、上記電極部を冷却する液体ないし電極部を洗浄する液体が流通する液体流路が形成され、上記液体流路の上流端に液体供給装置が接続され、上記液体流路の下流端は、上記電極部近傍で開口している構成とする。
【００１８】
したがって、電極部を冷却する液体ないし電極部を洗浄する液体が、液体供給装置により電極部の近傍に供給されるので、第２の考案と同様な作用が得られる。
【００１９】
第８の考案では、第７の考案において、液体供給装置は、液体を、１分間あたり０．５ｍｌ以上２．０ｍｌ以下の範囲で供給するように構成されているものとする。
【００２０】
すなわち、液体の供給量が１分間あたり０．５ｍｌ未満であると、液体の量が少なすぎて電極部の冷却効果及び洗浄効果が十分に得られなくなり、一方、供給量が１分間あたり２．０ｍｌよりも多いと、電極部が冷えすぎたり、生体組織への施術が難しくなる。よって、上記範囲とすることで、施術に適した液体の供給量となる。
【００２１】
第９の考案では、第６から８のいずれか１つの考案において、液体供給装置は、液体を供給する供給状態と、供給を停止する停止状態とに切り替える切替部を備えている構成とする。
【００２２】
したがって、液体が必要なときに必要な時間だけ供給することが可能になる。
【００２３】
第１０の考案では、第９の考案において、切替部は、術者による足踏み操作が可能な足踏み操作部を備え、該足踏み操作部の足踏み操作によって供給状態と、停止状態とに切り替える構成とする。
【００２４】
したがって、術者が術野から手を離すことなく、術者の思い通りに液体の供給が行えるようになる。
【考案の効果】
【００２５】
本考案によれば、電極部を扁平形状としたので、高周波電流を流して各種手術を行う際に、切開、剥離、凝固等のいずれの施術も適切に行うことができる。
【００２６】
また、電極部の近傍に電極部を冷却する液体ないし電極部を洗浄する液体を供給することで、電極部の温度を適切な範囲に保つことができ、さらに、電極部に付着した血液等を流して施術を確実に行うことができる。
【００２７】
また、本体部の電極部側を湾曲させることで、電極部を体腔の奥の方の所望位置に持っていくことができ、本手術用具の適用範囲をより一層拡大できる。
【００２８】
また、電極部を多角形の板状にすることで、電極部の周縁部には複数の辺部が形成されるので、ある片部が使用に適さなくなっても、他の片部を利用して施術を続けることができ、施術を早くかつ確実に終わらせることができる。
【００２９】
また、液体の供給量を、１分間あたり０．５ｍｌ以上２．０ｍｌ以下の範囲にすることで、施術に悪影響を与えることなく、電極部の冷却効果及び洗浄効果を十分に得ることができる。
【００３０】
また、足踏み操作によって液体の供給を開始したり、停止することができるので、術者が術野から手を離すことなく、術者の思い通りに液体の供給を行うことができ、利便性を向上させることができる。
【考案を実施するための最良の形態】
【００３１】
以下、本考案の実施形態を図面に基づいて詳細に説明する。尚、以下の好ましい実施形態の説明は、本質的に例示に過ぎず、本考案、その適用物或いはその用途を制限することを意図するものではない。
【００３２】
（実施形態１）
図１は、本考案の実施形態１に係る手術用具１０を備えた手術システム１を示すものである。手術システム１は、モノポーラ電極となる手術用具１０の他に、生体手術用に設定された高周波電流を供給する高周波電流供給装置２０と、手術用具１０が接続されるハンドピース３０と、対極板４０と、バッグＢに貯留された生理的食塩水を手術用具１０の電極部１３（後述する）近傍に供給する液体供給装置５０とを備えている。ハンドピース３０は、高周波電流供給装置２０に接続線４３により電気的に接続されている。対極板４０も、高周波電流供給装置２０に接続線４４により電気的に接続されている。手術用具１０、高周波電流供給装置２０、ハンドピース３０及び対極板４０は、いわゆるモノポーラ型の電気メス装置を構成している。
【００３３】
手術システム１は、各種外科的手術の際に、生体組織Ａ（図８及び図９に示す）を切開したり、特定の生体組織Ａを他の生体組織Ａから剥離させたり、止血のために生体組織Ａを凝固させることができるものであり、例えば、人間の消化器官の手術、泌尿器科の手術、産婦人科の手術等の広い範囲で使用できるものである。
【００３４】
高周波電流供給装置２０は、図示しないが、直流電源の出力電流を電流制限回路によって上限設定して、生体手術用の高周波電流を発生させるように構成されている。すなわち、直流電源には、該直流電源の出力電流を所定値に制限する電流制限回路が接続されている。電流制限回路には、該電流制限回路の出力が入力されて所定の一定電圧を出力する定電圧回路が接続されている。定電圧回路には、該定電圧回路の出力を電源として医療用に規定された周波数の高周波電流を生成する発振回路が接続されている。また、定電圧回路の出力電圧を電源として、切開モード、凝固モードのそれぞれに対応する各デューティ比を設定するデューティ比設定回路が定電圧回路に接続されている。定電圧回路及びデューティ比設定回路には、定電圧回路の出力電圧を電源として、デューティ比設定回路で設定されたデューティ比に基づいて発振回路の高周波電流出力を波形整形する波形整形回路が接続されている。電流制限回路には、電流制限回路により上限を規定された電流によって波形整形回路の出力に応じた高周波電流出力を発生させる出力回路が接続されている。
【００３５】
また、高周波電流供給装置２０には、デューティ比設定回路の切開モード、凝固モードを切り替えるモード切替スイッチと、出力回路の電流出力値を調整する電流値調整回路と、切開モードの電流値を設定する切開用電流値設定スイッチと、凝固モードの電流値を設定する凝固用電流値設定スイッチと、電源スイッチとが設けられている。直流電源には充電池を用いることができる。
【００３６】
尚、人間の手術の際には、一般的に３００ＫＨｚ〜５ＭＨｚ程度の周波数範囲にある高周波電流を使用する。
【００３７】
ハンドピース３０には、スイッチ３１が設けられている。このスイッチ３１は高周波電流供給装置２０に接続線４３を介して接続されている。ハンドピース３０のスイッチ３１を操作することにより、高周波電流供給装置２０から高周波電流が出力されるようになっている。また、対電極４０は、導電材からなり、患者の体表面に接触するものである。
【００３８】
液体供給装置５０は、バッグＢに接続されるチューブ４１と、開閉機構５５とを備えている。開閉機構５５は、下方に開放する鉤状部５１ａを有する固定部材５１と、鉤状部５１ａの開放側に配置される押圧部５２ａを有する可動部材５２とを備えている。可動部材５２は上下方向に移動するように固定部材５１に支持されている。チューブ４１は、柔軟な材料で構成されており、鉤状部５１ａの内部に配置されている。鉤状部５１ａには、押圧部５２ａを上下方向に案内する縦長の案内孔５１ｂが形成されている。可動部材５２には、術者の足下に配置されるペダル５３がワイヤー５４を介して連結されている。
【００３９】
図３に示すように、ペダル５３が踏み込まれると可動部材５２が上方へ移動し、押圧部５２ａがチューブ４１を鉤状部５１ａへ向けて押し付け、これにより、チューブ４１が潰れて内部の流路Ｒ１（図２に示す）が閉塞されるようになっている。この状態で生理的食塩水の供給が停止される。
【００４０】
一方、図２に示すように、ペダル５３から足を離すと、押圧部５２ａが下がり、チューブ４１の形状が復元して内部の流路Ｒ１が開かれて生理的食塩水の供給が開始される。つまり、開閉機構５０は、生理的食塩水を供給する供給状態と、生理的食塩水の供給を停止する停止状態とを切り替える切替部である。尚、ペダル５３の踏み込み量によって生理的食塩水の流量をコントロールすることのできる。
【００４１】
図４〜図７に示すように、手術用具１０は、円形断面を有する棒状の本体部１１と、本体部１１の長手方向中間部から分岐する分岐部１２と、本体部１１の先端部に設けられた電極部１３とを備えている。本体部１１、分岐部１２及び電極部１３は、導電材料で構成されており、この材料としては、例えばステンレス鋼等が挙げられるが、人体に影響を及ぼさない導電材料であれば特に限定されない。
【００４２】
本体部１１は中空状に形成されており、その内部空間は、生理的食塩水が流れる流路Ｒ２となっている。本体部１１の先端及び基端は閉塞されている。本体部１１の長さは５０ｍｍ以上１５０ｍｍ以下の範囲で設定するのが好ましい。
【００４３】
本体部１１の基端側には、該本体部１１の他の部位に比べて大径に形成された接続部１１ａが設けられている。接続部１１ａの長さは、２０ｍｍ程度に設定されている。接続部１１ａがハンドピース３０の先端部に差し込まれるようになっている。本体部１１の接続部１１ａの外径は、４ｍｍに設定されており、また、本体部１１の中間部の外径は、２．５ｍｍに設定され、内径である流路Ｒ１の径は、１．５ｍｍに設定されている。本体部１１の接続部１１ａの外径及び中間部の外径はこれに限られるものではない。また、流路Ｒ１の内径は、生理的食塩水の流通し易さを考慮して１．０ｍｍ以上確保されていればよく、上限は１．５ｍｍ以上であってもよい。
【００４４】
また、図５に示すように、本体部１１の先端側である電極部１３側は、径方向に潰されており、側面視で、先端部に近づくほど薄くなるように形成されている。本体部１１の電極部１３近傍の外周面には、流路Ｒ２の下流端が開口して４つの開口部１１ｂ，１１ｂ，…が形成されている。これら開口部１１ｂ，１１ｂ，…は本体部１１の周方向に略等間隔に配置されている。周方向に隣り合う開口部１１ｂ，１１ｂは本体部１１の長手方向にも離れている。各開口部１１ｂの径は０．５ｍｍ以上１．５ｍｍ以下の範囲で設定するのが好ましい。開口部１１ｂと電極部１３との離間寸法は、２０ｍｍ以下に設定されている。開口部１１ｂと電極部１３との離間寸法を２０ｍｍ以下とすることで、開口部１１ｂから流出した生理的食塩水が電極部１３に達し易くなる。尚、開口部１１ｂの数は４つに限られるものではなく、例えば、１つであってもよい。また、開口部１１ｂ，１１ｂ，…の径は互いに異ならせてもよい。また、開口部１１ｂ，１１ｂ，…の形状は円形に限られるものではなく、スリット状であってもよい。
【００４５】
分岐部１２は、図４に示すように、本体部１１から突出する管状をなしており、その突出方向先端部に近づくほど本体部１１の基端側に位置するように、本体部１１の長手方向に対し傾斜している。分岐部１２の内部には、本体部１１の流路Ｒ２に連通する流路Ｒ３が形成されている。図７に示すように、この流路Ｒ３の上流端は、分岐部１２の端部に開口している。分岐部１２は、本体部１１の基端部から先端側へ向けて約４０ｍｍ離れて位置付けられている。また、分岐部１２の外径は２．５ｍｍに設定されている。分岐部１２の端部には、液体供給装置５０のチューブ４１が接続されるようになっている。これにより、バッグＢ内の生理的食塩水が流路Ｒ３、Ｒ２を順に流れて開口部１１ｂから電極部１３の近傍に供給されることになる。
【００４６】
開口部１１ｂの径及び開口部１１ｂの個数により、電極部１３近傍に供給される生理的食塩水の量が設定されるようになっている。具体的には、供給量が１分間あたり０．５ｍｌ以上２．０ｍｌ以下の範囲となるように設定されている。これは、供給量が１分間あたり０．５ｍｌ未満であると、少なすぎて生理的食塩水による電極部１３の冷却効果及び洗浄効果が十分に得られなくなり、供給量が１分間あたり２．０ｍｌよりも多いと、生理的食塩水によって電極部１３が冷えすぎたり、生体組織への施術が難しくなるからである。尚、供給量は、チューブ４１にオリフィス等を設けて上記範囲となるように調整してもよいし、本体部１１の流路Ｒ２や分岐部１２の流路Ｒ３にオリフィス等を設けて上記範囲となるように調整してもよい。また、生理的食塩水を加温してもよいし、冷却してもよい。
【００４７】
本体部１１の長手方向中間部と、分岐部１２とは、絶縁体からなる被覆材１４によって被覆されている。被覆材１４は、開口部１１ｂ，１１ｂ，…を覆わないように形成されるとともに、接続部１１ａの一部を覆うように形成されている。この被覆材１４は、例えばテフロンやシリコン等を用いることができる。
【００４８】
図４〜図６に示すように、電極部１３は、扁平形状となっている。具体的には、電極部１３は円板材で構成されており、その周縁部の一部が本体部１１に固定されている。電極部１３の厚みは、１．０ｍｍ以上２．０ｍｍ以下となるように設定されている。また、電極部１３の径は、５．０ｍｍ以上１０．０ｍｍ以下となるように設定されている。このような扁平形状とすることにより、電極部１３の周縁部は、シャープな形状となる。また、電極部１３は、その中心が本体部１１の中心線上に位置するように配置されている。
【００４９】
次に、上記のように構成された手術システム１を使用する場合について説明する。まず、図１に示すように、ハンドピース３０に手術用具１０を接続する。すなわち、手術用具１０の接続部１１ａをハンドピース３０の先端部に差し込む。これにより、手術用具１０がハンドピース３０に保持される。
【００５０】
また、生理的食塩水が貯留されたバッグＢを用意して上方に吊す。バッグＢにはチューブ４１の上流端部を接続する。チューブ４１の下流端部は手術用具１０の分岐部１２に接続する。このとき、液体供給装置５０のペダル５３を踏み込んでチューブ４１を閉塞しておく。また、患者の体表に対極板４０を接触させておく。また、高周波電流供給装置２０のモード切替や各種調整を行う。
【００５１】
そして、電極部１３を生体組織Ａに接触させてハンドピース３０のスイッチ３１を操作すると、電極部１３から生体組織Ａに電流が流れて切開、剥離、凝固を行うことができる。切開や剥離をするときには、図８に示すように、電極部１３の周縁部を生体組織Ａに接触させるようにすることで、生体組織Ａへの接触面積が狭くなる。これにより、切開や剥離をしたい箇所に局部的に電流を流すことができるので、望み通りに適切に切開や剥離を行うことができる。
【００５２】
一方、凝固を行うときには、図９に示すように、電極部１３の側面を生体組織Ａに接触させるようにすることで、生体組織Ａの広い範囲に電流を流して望み通りに適切に凝固させて止血を行うことができる。
【００５３】
電極部１３の温度が適正範囲から上昇した場合には、術者はペダル５３から足を離す。これにより、ことでチューブ４１の流路Ｒ１が開放される。すると、バッグＢ内の生理的食塩水が、落差圧によってチューブ４１の流路Ｒ１及び分岐管１２の流路Ｒ２を順に流れて本体部１１内の流路Ｒ３に流入し、開口部１１ｂ，１１ｂ，…から流出する。開口部１１ｂ，１１ｂ，…は、電極部１３近傍にあるので、生理的食塩水は本体部１１の外周面を伝って電極部１３に達する。これにより、電極部１３が冷却されて適正な温度となる。また、このようにして供給された生理的食塩水により電極部１３を洗浄することも可能である。さらに、生理的食塩水を流しながら電流を流すことで、生体組織Ａが電極部１３に密着したまま離れなくなるのを抑制できる。
【００５４】
生理的食塩水の供給開始及び供給停止は、ペダル５３の操作によって術者自身が適切なタイミングで行えるので、術者がストレスを感じることはなく、しかも、供給量を正確にコントロールできる。
【００５５】
また、このときの生理的食塩水の供給量を、１分間あたり０．５ｍｌ以上２．０ｍｌ以下の範囲にしているので、電極部１３の冷却効果及び洗浄効果が十分に得ながら、電極部１３が冷えすぎたり、生体組織への施術が難しくなるの回避することが可能である。供給流量は、実験の結果から導き出されたものであり、より好ましくは、１分間あたり１ｍｌである。
【００５６】
また、本手術用具１０は、電流を流さない状態でも使用可能である。すなわち、電極部１３が扁平形状となっているので、電極部１３の周縁部を、剥離したい生体組織に押し当てて鈍的な剥離具として使用できる。
【００５７】
以上説明したように、この実施形態によれば、手術用具１０の電極部１３を扁平形状としたので、高周波電流を流して各種手術を行う際に、切開、剥離、凝固等のいずれの施術も適切に行うことができる。
【００５８】
また、電極部１３の近傍に電極部１３を冷却する液体ないし電極部１３を洗浄するための生理的食塩水を供給するようにしたので、電極部１３の温度を適切な範囲に保つことができ、さらに、電極部１３に付着した血液等を流して施術を確実に行うことができる。
【００５９】
また、液体の供給量を、１分間あたり０．５ｍｌ以上２．０ｍｌ以下の範囲にすることで、施術に悪影響を与えることなく、電極部１３の冷却効果及び洗浄効果を十分に得ることができる。
【００６０】
また、ペダル５３の踏み操作によって生理的食塩水の供給を開始したり、停止することができるので、術者が術野から手を離すことなく、術者の思い通りに生理的食塩水の供給を行うことができ、利便性を向上させることができる。
【００６１】
また、泌尿器科や産婦人科の手術の際には、対象となる生体組織Ａが体腔の深いところにあるので、手術用具１０の本体部１１の長さを１００ｍｍ以上とするのが好ましいが、長すぎると取り回し難くなるので、１５０ｍｍ以下にするのが好ましい。
【００６２】
（実施形態２）
図１０は、本発明の実施形態２に係る手術システム１を示すものである。この手術システム１は、生理的食塩水を供給するための液体供給装置５０の構造が、実施形態１のものと異なっており、他の部分は同じであるため、以下、実施形態１と同じ部分には同じ符号を付けて説明を省略し、異なる部分について詳細に説明する。
【００６３】
すなわち、液体供給装置５０は、ポンプ６０と、バッグＢに接続される上流側チューブ６１と、手術用具１０の分岐部１２に接続される下流側チューブ６２とを備えている。ポンプ６０は、図示しないが、生理的食塩水を圧送するポンプ機構と、ポンプ機構を駆動する電動モーターとを備えている。これらポンプ機構及び電動モーターは、液体を圧送する際に用いられている従来周知のものである。
【００６４】
ポンプ機構による生理的食塩水の圧送量（供給量）は、任意の量に設定できるようになっている。この実施形態２では、生理的食塩水の供給量が、１分間あたり０．５ｍｌ以上２．０ｍｌ以下の範囲となるように設定されている。
【００６５】
ポンプ６０は、生理的食塩水の流路（図示せず）を開閉する電磁弁（切替部）６３と、電磁弁６３を操作するためのフットスイッチ６４とを備えている。フットスイッチ６４を踏むと電磁弁６３が閉じて生理的食塩水の供給が停止状態となり、一方、フットスイッチ６４から足を離すと電磁弁６３が開いて生理的食塩水が供給可能な状態となる。
【００６６】
したがって、この実施形態２によれば、実施形態１と同様な作用効果を得ることができる。
【００６７】
上記ポンプ６０は、高周波電流供給装置２０に内蔵するようにしてもよい。また、ポンプ６０に調整ノブ等を設け、生理的食塩水の供給量を調整ノブの操作によって増減させるようにしてもよい。フットスイッチ６４の操作によって生理的食塩水の供給量を増減させるようにしてもよい。
【００６８】
尚、電極部１３の形状は、上記実施形態１、２のものに限られず、例えば、図１１及び図１２に示す変形例１のように、電極部１３の先端に向かって薄くなるブレード形状にしてもよい。これにより、生体組織Ａを剥離し易くなる。
【００６９】
また、電極部１３の形状としては、図１３に示す変形例２のように矢じり型にしてもよいし、図１４に示す変形例３のように四角形の板状にしてもよい。これら変形例２、３のような形状にすることで、電極部１３には複数の辺部１３ａ、１３ａが形成されることになる。したがって、ある片部１３ａに血液等が焼き付いて固着しても、他の片部１３ａを利用いて施術を続けることが可能になるので、施術を早くかつ確実に終わらせることができる。電極部１３は、五角形等の多角形の板状であってもよい。また、電極部１３の厚みは部分的に異ならせてもよい。
【００７０】
また、図１５に示す変形例４のように、手術用具１０の本体部１１の先端側を湾曲させてもよい。これにより、例えば体腔の深い部位を手術する場合に、本体部１１の先端側が湾曲していることにより、手前にある生体組織Ａを回避しながら、電極部１３を体腔の奥の方の所望位置まで持っていくことが可能になる。よって、本手術用具１０の適用範囲をより一層拡大できる。また、本体部１１の先端側を術者自らが湾曲させるようにしてもよい。
【００７１】
また、上記実施形態２では、生理的食塩水をバッグＢに貯留するようにしているが、これに限らず、ポンプ６０や高周波電流供給装置２０に内蔵されるタンクに貯留するようにしてもよい。
【産業上の利用可能性】
【００７２】
以上説明したように、本考案に係る手術用具及び手術システムは、例えば、人間の消化器官の手術、泌尿器科の手術、産婦人科の手術に用いることができる。
【図面の簡単な説明】
【００７３】
【図１】実施形態１に係る手術システムの構成を示す概略図である。
【図２】開状態にある液体供給装置の構造を説明する図である。
【図３】閉状態にある液体供給装置の図２相当図である。
【図４】手術用具の平面図である。
【図５】手術用具の側面図である。
【図６】手術用具を先端側から見た図である。
【図７】手術用具を基端側から見た図である。
【図８】電極部の周縁部を利用して切開又は剥離を行う場合の説明図である。
【図９】電極部の側面部を利用して凝固を行う場合の説明図である。
【図１０】実施形態２に係る図１相当図である。
【図１１】変形例１に係る図５相当図である。
【図１２】変形例１に係る図６相当図である。
【図１３】変形例２に係る図４相当図である。
【図１４】変形例３に係る図４相当図である。
【図１５】変形例４に係る図４相当図である。
【符号の説明】
【００７４】
１                手術システム
１０              手術用具
１１              本体部
１１ｂ            開口部
１３              電極部
２０              高周波電流供給部
５０              液体供給装置
５５              開閉機構（切替部）
５３              ペダル（足踏み操作部）
６０              ポンプ（液体供給装置）
６３              電磁弁（切替部）
６４              フットスイッチ（足踏み操作部）
Ａ                生体組織
Ｂ                バッグ
Ｒ１、Ｒ２、Ｒ３  流路
【図１】
0003148843.tif 000003
【図２】
0003148843.tif 000004
【図３】
0003148843.tif 000005
【図４】
0003148843.tif 000006
【図５】
0003148843.tif 000007
【図６】
0003148843.tif 000008
【図７】
0003148843.tif 000009
【図８】
0003148843.tif 000010
【図９】
0003148843.tif 000011
【図１０】
0003148843.tif 000012
【図１１】
0003148843.tif 000013
【図１２】
0003148843.tif 000014
【図１３】
0003148843.tif 000015
【図１４】
0003148843.tif 000016
【図１５】
0003148843.tif 000017